(57)【要約】【課題】コストを削減し、また小型化が可能なレンズ鏡筒及びカメラを提供する。【解決手段】レンズ鏡筒（１０）は、電気部品（１８，１９）を収容し、第１（１０ａ）及び第２の開口孔（１０ｂ）が設けられたケース（１１，１２，２０）と、電気部品に接続され前記第１及び第２の開口孔のいずれか一方に挿通され、第１半田ランド部（２１ｂ，２２ｂ）が露出する状態で前記ケースの外部に配置された第１フレキシブルプリント基板（２１，２２）と、第１外部半田ランド部（２３ｂ）が設けられた外部フレキシブルプリント基板（２３）とを備え、前記第１フレキシブルプリント基板と前記外部フレキシブルプリント基板とは、前記第１半田ランド部が設けられた面（２１ｅ，２２ｅ）と前記第１外部半田ランド部が設けられた面とが同じ向きを向いた状態で配置され、半田付けすることにより電気的に接続される。【選択図】図１
2009151090.tif 000002
【特許請求の範囲】
【請求項１】
少なくとも１つの電気部品を収容し、第１及び第２の開口孔が設けられたケースと、
前記ケース内部に収容された電気部品に一端が接続され、前記第１及び第２の開口孔のいずれか一方に挿通され、一方の面に設けられた半田ランド部である第１半田ランド部が露出する状態で前記ケースの外部に配置された第１フレキシブルプリント基板と、
一方の面に半田ランド部である第１外部半田ランド部が設けられた外部フレキシブルプリント基板とを備え、
前記第１フレキシブルプリント基板と前記外部フレキシブルプリント基板とは、前記第１半田ランド部が設けられた面と前記第１外部半田ランド部が設けられた面とが同じ向きを向いた状態で重畳するように配置され、前記第１ランド部と前記第１外部半田ランド部とを半田付けすることにより電気的に接続されていること、
を特徴とするレンズ鏡筒。
【請求項２】
請求項１に記載のレンズ鏡筒において、
前記ケース内部に収容された電気部品に一端が接続され、前記第１及び第２の開口孔のうち前記第１フレキシブルプリント基板が挿通されている開口孔とは異なる開口孔に挿通され、一方の面に設けられた半田ランド部である第２半田ランド部が露出する状態で前記ケースの外部に配置された第２フレキシブルプリント基板を備え、
前記外部フレキシブルプリント基板は、前記第１外部半田ランド部が設けられている面に前記第１外部半田ランド部とは異なる半田ランド部である第２外部半田ランド部が設けられ、
前記第２フレキシブルプリント基板と前記外部フレキシブルプリント基板とは、前記第２半田ランド部が設けられた面と前記第２外部半田ランド部が設けられた面とが同じ向きを向いた状態で重畳するように配置され、前記第２半田ランド部と前記第２外部半田ランド部とを半田付けすることにより電気的に接続されていること、
を特徴とするレンズ鏡筒。
【請求項３】
請求項２に記載のレンズ鏡筒において、
前記第１及び第２フレキシブルプリント基板は、前記第１及び第２のフレキシブルプリント基板と前記外部フレキシブルプリント基板とが重畳する範囲において、互いに重複せずに面方向に並べて配置されていること、
を特徴とするレンズ鏡筒。
【請求項４】
請求項１から請求項３までのいずれか１項に記載のレンズ鏡筒を備えたカメラ。
【発明の詳細な説明】
【技術分野】
【０００１】
本発明は、フレキシブルプリント基板を備えたレンズ鏡筒及びカメラに関するものである。
【背景技術】
【０００２】
従来、カメラのレンズ鏡筒には、レンズを駆動するための電気部品が収納され、この電気部品に電力を供給するために、フレキシブルプリント基板が使用されてきた（例えば、特許文献１）。またこのフレキシブルプリント基板は、レンズ鏡筒の外部で他のフレキシブルプリント基板に接続されるが、この接続には、コネクタが使用されてきた。
しかし、コネクタ接続は、コネクタの部品コストが必要になり、またカメラの内部にコネクタのスペースが必要であり、レンズ鏡筒及びカメラの小型化の妨げになっていた。
【特許文献１】特開平５−１５７９５５号公報
【発明の開示】
【発明が解決しようとする課題】
【０００３】
本発明の課題は、コストを削減し、また小型化が可能なレンズ鏡筒及びカメラを提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
【０００５】
請求項１の発明は、少なくとも１つの電気部品（１８，１９）を収容し、第１（１０ａ）及び第２の開口孔（１０ｂ）が設けられたケース（１１，１２，２０）と、前記ケース内部に収容された電気部品に一端が接続され、前記第１及び第２の開口孔のいずれか一方に挿通され、一方の面（２１ｅ，２２ｅ）に設けられた半田ランド部である第１半田ランド部（２１ｂ，２２ｂ）が露出する状態で前記ケースの外部に配置された第１フレキシブルプリント基板（２１，２２）と、一方の面に半田ランド部である第１外部半田ランド部（２３ｂ）が設けられた外部フレキシブルプリント基板（２３）とを備え、前記第１フレキシブルプリント基板と前記外部フレキシブルプリント基板とは、前記第１半田ランド部が設けられた面（２１ｅ，２２ｅ）と前記第１外部半田ランド部が設けられた面とが同じ向きを向いた状態で重畳するように配置され、前記第１ランド部と前記第１外部半田ランド部とを半田付けすることにより電気的に接続されていること、を特徴とするレンズ鏡筒である。
【０００６】
請求項２の発明は、請求項１に記載のレンズ鏡筒において、前記ケース（１１，１２，２０）内部に収容された電気部品（１８，１９）に一端が接続され、前記第１（１０ａ）及び第２の開口孔（１０ｂ）のうち前記第１フレキシブルプリント基板（２１）が挿通されている開口孔（１０ｂ）とは異なる開口孔（１０ａ）に挿通され、一方の面（２００ｅ）に設けられた半田ランド部である第２半田ランド部（２２０ｂ）が露出する状態で前記ケースの外部に配置された第２フレキシブルプリント基板（２２０）を備え、前記外部フレキシブルプリント基板（２３）は、前記第１外部半田ランド部（２３ｂ−１〜２３ｂ−７）が設けられている面に前記第１外部半田ランド部とは異なる半田ランド部である第２外部半田ランド部（２３ｂ−１１〜２３ｂ−１４）が設けられ、前記第２フレキシブルプリント基板と前記外部フレキシブルプリント基板とは、前記第２半田ランド部が設けられた面（２２０ｅ）と前記第２外部半田ランド部が設けられた面とが同じ向きを向いた状態で重畳するように配置され、前記第２半田ランド部と前記第２外部半田ランド部とを半田付けすることにより電気的に接続されていること、を特徴とするレンズ鏡筒である。
請求項３の発明は、請求項２に記載のレンズ鏡筒において、前記第１（２１）及び第２フレキシブルプリント基板（２２０）は、前記第１及び第２のフレキシブルプリント基板と前記外部フレキシブルプリント基板（２３）とが重畳する範囲において、互いに重複せずに面方向に並べて配置されていること、を特徴とするレンズ鏡筒である。
【０００７】
請求項４の発明は、請求項１から請求項３までのいずれか１項に記載のレンズ鏡筒（１０，２１０）を備えたカメラである。
なお、符号を付して説明した構成は、適宜改良してもよく、また、少なくとも一部を他の構成物に代替してもよい。
【発明の効果】
【０００８】
本発明によれば、コストを削減し、また小型化が可能なレンズ鏡筒及びカメラを提供することができる。
【発明を実施するための最良の形態】
【０００９】
（第１実施形態）
以下、図面等を参照して、本発明の第１実施形態について説明する。
図１は、第１実施形態のカメラ１のレンズ鏡筒繰り出し時における光軸Ｏを通る断面図である。
図２は、第１実施形態のブレ補正ＦＰＣ２１及びフォーカスＦＰＣ２２の平面図（パターン面を上面から見た図）である。
カメラ１は、カメラボディ２と、カメラボディ２に一体に設けられたレンズ鏡筒１０とを備えたレンズ鏡筒一体式のデジタルカメラである。
レンズ鏡筒１０は、沈胴式レンズ鏡筒である。レンズ鏡筒１０は、第１レンズ群Ｌ１と、第２レンズ群Ｌ２と、固定筒１１と、中間筒１２と、カム筒１３と、直進ガイド筒１４と、直進筒１５と、ＣＣＤ（Charge  Coupled  Device）を固定する台１７と、ブレ補正ユニット１８と、フォーカスモータ１９と、板状部材２０と、ブレ補正ＦＰＣ（フレキブルプリント基板）２１と、フォーカスＦＰＣ２２と、外部ＦＰＣ２３とを備えている。
【００１０】
第１レンズ群Ｌ１と第２レンズ群Ｌ２とは、焦点距離を変更可能なズーム式の撮影光学系を構成する２群構成のレンズ群である。第１レンズ群Ｌ１及び第２レンズ群Ｌ２は、光軸Ｏ方向に沿って被写体側から像面側に向けて、この順序で配列されている。第１レンズ群Ｌ１は、フォーカスレンズとして、第２レンズ群Ｌ２は、像ブレ補正レンズとしてそれぞれ機能する。
【００１１】
固定筒１１、中間筒１２、カム筒１３、直進ガイド筒１４、直進筒１５は、光軸Ｏに沿って移動したり、光軸Ｏ回りに回転することにより、レンズ鏡筒１０を駆動する。そして、レンズ鏡筒１０は、撮影時にその一部がカメラボディ２から繰り出され、また焦点距離を変更する場合には、第１レンズ群Ｌ１及び第２レンズ群Ｌ２の間隔が変更される。一方、レンズ鏡筒１０は、非撮影時にカメラボディ２内に収納される。
【００１２】
ブレ補正ユニット１８は、第２レンズ群Ｌ２のレンズ枠３に設けられており、図示しないＶＣＭ（ボイスコイルモータ）を備えている。ブレ補正ユニット１８は、カメラ１本体に設けられた振れセンサ（図示せず）の出力に応じてブレ補正ユニット１８のＶＣＭを制御して、第２レンズ群Ｌ２を光軸Ｏに直交する方向に駆動する。これにより、カメラ１は、レンズ鏡筒１０の振れの影響を低減した撮像データを取得することができる。
【００１３】
フォーカスモータ１９は、直進筒１５の内側に収容されたステッピングモータ等である。フォーカスモータ１９は、第１レンズ群Ｌ１を光軸Ｏ方向に移動して、撮影光学系の焦点を合焦させる。
板状部材２０は、中間筒１２に設けられたボス（図５（ｂ−２）に示すボス１２ａ参照）に、ねじ止めされている。板状部材２０は、金属の板材をプレス加工して形成される。
レンズ鏡筒１０は、固定筒１１と板状部材２０との間に、光軸Ｏに直交する方向（図面の紙面の法線方向）に細長い矩形の開口孔１０ａが形成され、また固定筒１１及び板状部材２０の間に、光軸Ｏに直交する方向に細長い開口孔１０ｂ（図５（ｂ−２）参照）が形成されている。
【００１４】
図２に示すように、ブレ補正ＦＰＣ２１、フォーカスＦＰＣ２２は、ポリイミド等の基材の片面にパターン形成がされたいわゆる片面プリント基板である。ブレ補正ＦＰＣ２１，フォーカスＦＰＣ２２は、基材の上に、銅箔の回路パターンが形成され、さらにその上にカバーレイが積層されており柔軟性を有する。なお、外部ＦＰＣ２３は、図示を省略するが、ブレ補正ＦＰＣ２１及びフォーカスＦＰＣ２２と同様な積層構成である。
【００１５】
ブレ補正ＦＰＣ２１は、７本のパターン２１ａ（２１ａ−１〜２１ａ−７）が配線されている。ブレ補正ＦＰＣ２１は、カバーレイの一部に開口が設けらることにより、パターン２１ａ（２１ａ−１〜２１ａ−７）の一端に半田ランド２１ｂ（２１ｂ−１〜２１ｂ−７）が形成されている。ブレ補正ＦＰＣ２１の半田ランド２１ｂ側とは反対側の一端は、ブレ補正ユニット１８に接続されている。
【００１６】
ブレ補正ＦＰＣ２１は、一部に屈曲部２１ｃが設けられ、半田ランド２１ｂ側の終端部分２１ｄが、屈曲部２１ｃよりもブレ補正ユニット１８側の部分に対して、幅方向にずれるように形成されている。これは、後述するように、半田付けをする場合に、ブレ補正ＦＰＣ２１とフォーカスＦＰＣ２２とが重複しないようにするためである。
ブレ補正ＦＰＣ２１は、レンズ鏡筒１０の開口孔１０ａに挿通され、半田ランド２１ｂがレンズ鏡筒１０の外側に配置される。
【００１７】
フォーカスＦＰＣ２２は、４本のパターン２２ａ（２２ａ−１〜２２ａ−４）が配線されている。フォーカスＦＰＣ２２は、パターン２２ａ（２１ａ−１〜２１ａ−７）の一端に半田ランド２２ｂ（２２ｂ−１〜２２ｂ−４）が形成されている。フォーカスＦＰＣ２２半田ランド２２ｂ側とは反対側の一端は、フォーカスモータ１９に接続されている。
【００１８】
図１に示すように、フォーカスＦＰＣ２２は、フォーカスモータ１９に接続された後、撮影光学系の撮影光路及び第１レンズ群Ｌ１の移動領域を避けるために、直進筒１５の内壁に沿って配設されている。その後、フォーカスＦＰＣ２２は、像面側に折り曲げられた後、レンズ鏡筒１０の繰り出し時と収納時におけるストロークを確保するために、一部が蛇腹状に折り曲げられる。その後、フォーカスＦＰＣ２２は、レンズ枠３の貫通孔（図示せず）に挿通され、ブレ補正ＦＰＣ２１と同様に、開口孔１０ａに挿通され、半田ランド２２ｂがレンズ鏡筒１０の外側に配置される。
【００１９】
次に、ブレ補正ＦＰＣ２１及びフォーカスＦＰＣ２２と外部ＦＰＣ２３との接続方法について説明しながら、ＦＰＣの接続部分の構成について説明する。
図３は、第１実施形態のレンズ鏡筒１０のＦＰＣの接続部を示す底面図（図１（ａ）のIII部矢視図）である。
図１、図３（ａ）に示すように、ブレ補正ＦＰＣ２１は、パターン面２１ｅが像面側に向くように開口孔１０ａから引き出された後、被写体側に折り曲げられる。これにより、半田ランド２１ｂが、露出する状態でレンズ鏡筒１０の外部に配置される。
【００２０】
図１、図３（ｂ）に示すように、フォーカスＦＰＣ２２も、ブレ補正ＦＰＣ２１と同様に、パターン面２２ｅが像面側に向くように開口孔１０ａから引き出された後、被写体側に折り曲げられ、半田ランド２２ｂが、露出する状態でレンズ鏡筒１０の外部に配置される。
なお、図１（ａ）に示すように、レンズ鏡筒１０の内部では、ブレ補正ＦＰＣ２１とフォーカスＦＰＣ２２とは、一部の範囲で重ねた状態で配設される。一方、図３（ｂ）に示すように、レンズ鏡筒１０の外部では、ブレ補正ＦＰＣ２１とフォーカスＦＰＣ２２とは、互いに重複せずに面方向に並べて配置される。これは、ブレ補正ＦＰＣ２１に屈曲部２１ｃが設けられており、ブレ補正ＦＰＣ２１とフォーカスＦＰＣ２２とが幅方向にずれるためである。
【００２１】
図３（ｃ）に示すように、外部ＦＰＣ２３は、半田ランド２３ｂが露出するように、ブレ補正ＦＰＣ２１とフォーカスＦＰＣ２２とに重ね合わせて重畳される。これにより、外部ＦＰＣ２３とブレ補正ＦＰＣ２１及びフォーカスＦＰＣ２２とは、半田ランド２３ｂと半田ランド２１ｂ及び半田ランド２２ｂとが設けられた面とが同じ向きを向いた状態で配置される。
【００２２】
外部ＦＰＣ２３には、３つの開口孔２３ｃ−１〜２３ｃ−３が設けられており、ブレ補正ＦＰＣ２１の半田ランド２１ｂとフォーカスＦＰＣ２２の半田ランド２２ｂとが、この開口孔２３ｃ−１〜２３ｃ−３に露出している。
そして、露出した半田ランド２１ｂ（２１ｂ−１〜２１ｂ−７）と半田ランド２３ｂ（２３ｂ−１〜２３ｂ−７）とが半田付けされることにより、ブレ補正ＦＰＣ２１と外部ＦＰＣ２３とが電気的に接続される。一方、露出している半田ランド２２ｂ（２２ｂ−１〜２２ｂ−４）と半田ランド２３ｂ（２３ｂ−１〜２３ｂ−４）とが半田付けされることにより、フォーカスＦＰＣ２２と外部ＦＰＣ２３とが電気的に接続される。
【００２３】
この半田付け工程において、ブレ補正ＦＰＣ２１及びフォーカスＦＰＣ２２と外部ＦＰＣ２３とが重畳する範囲では、前述したようにブレ補正ＦＰＣ２１とフォーカスＦＰＣ２２とが重複していない。これにより、外部ＦＰＣ２３の表面は、段差ができずフラットになり、半田付けする際の作業性が向上する。また、ＦＰＣ同士を、省スペースで接続することができるので、カメラ１を小型化することができる。
【００２４】
以上説明したように、本実施形態のカメラ１は、レンズ鏡筒１０の異なるＦＰＣを半田付けにより外部フレキ２３に接続することができる。これにより、カメラ１及びレンズ鏡筒１０は、コネクタが不要であるのでコスト削減ができ、また省スペースで接続ができるので小型化することができる。
【００２５】
（第２実施形態）
次に、本発明を適用したカメラの第２実施形態について説明する。
なお、以下の説明及び図面において、前述した第１実施形態と同様の機能を果たす部分には、同一の符号又は末尾に同一の符号を付して、重複する説明を適宜省略する。
図４は、第２実施形態のカメラ２００のレンズ鏡筒繰り出し時における光軸Ｏを通る断面図である。
図５は、第２実施形態のレンズ鏡筒２１０のＦＰＣの接続部を示す底面図（図４（ａ）のＶ部矢視図）及び側面図（図４（ａ）のＢ２部矢視図）である。なお、図５（ａ）、図５（ｂ−１），図５（ｃ）が底面図であり、図５（ｂ−２）が側面図である。
【００２６】
レンズ鏡筒２１０のフォーカスＦＰＣ２２０は、パターンが第１実施形態とは逆の面に形成されている。従って、レンズ鏡筒２１０内部では、フォーカスＦＰＣ２２０とブレ補正ＦＰＣ２１とは、パターン面２２０ｅ，２１ｅの向きが逆である。この場合、フォーカスＦＰＣ２２０は、ブレ補正ＦＰＣ２１と同じ開口孔１０ａに挿通して配設すると、半田ランド２２０ｂが内側に向いて隠れてしまうので、半田付けすることはできない。そこで、図５（ｂ−１）及び図５（ｂ−２）に示すように、フォーカスＦＰＣ２２０は、開口孔１０ｂに挿通し被写体側に引き出した後、像面側に折り曲げて、半田ランド２２０ｂが露出する状態でレンズ鏡筒２１０の外部に配置される。このように、フォーカスＦＰＣ２２０とブレ補正ＦＰＣ２１とを、互いに向かい合う方向に折り曲げることにより、半田ランド２２０ｂが設けられた面と半田ランド２１ｂが設けられ面とが、同じ方向を向いて露出した状態で配置される。
【００２７】
その後、図５（ｃ）に示すように、第１実施形態と同様にして、開口孔２３ｃ−１〜２３ｃ−３に半田ランド２１ｂと半田ランド２２０ｂとが露出するように、外部ＦＰＣ２３がブレ補正ＦＰＣ２１とフォーカスＦＰＣ２２０とに重ね合わせて重畳される。そして、半田ランド２１ｂ（２１ｂ−１〜２１ｂ−７）と半田ランド２３ｂ（２３ｂ−１〜２３ｂ−７）とが半田付けされることにより、ブレ補正ＦＰＣ２１と外部ＦＰＣ２３とが電気的に接続され、一方、半田ランド２２０ｂ（２２０ｂ−１〜２２０ｂ−４）と半田ランド２３ｂ（２３ｂ−１〜２３ｂ−４）とが半田付けされることにより、フォーカスＦＰＣ２２と外部ＦＰＣ２３とが電気的に接続される。
【００２８】
このように、第２実施形態のレンズ鏡筒２１０は、２つＦＰＣのパターン面の向きが異なっていても、異なる開口孔１０ａ，１０ｂに挿通して、ブレ補正ＦＰＣ２１とフォーカスＦＰＣ２２とを外部フレキ２３に接続することができる。つまり、片面パターンのＦＰＣであっても、パターン面及び半田ランドが形成される向きに応じて挿通する開口孔を選択することにより、外部フレキ２３への接続をすることができる。これにより、設計の自由度を向上することができる。
また、ＦＰＣは、一方の面に形成されているパターンの反対側の面に半田ランドを設ける場合には、通常スルーホールを設けて両面パターンにする必要がある。この場合、ＦＰＣの剛性が上がるために、屈曲性が悪化し駆動時の負荷が増加する場合がある。これに対して、ブレ補正ＦＰＣ２１とフォーカスＦＰＣ２２とが、片面パターンであっても、外部ＦＰＣ２３に接続することができるので、屈曲性を維持して駆動時の負荷の増加を防止することができる。
【００２９】
以上、本発明の実施形態について説明したが、本発明は、実施形態に限定されるものではなく、種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態は、適宜組み合わせて用いることもできるが、詳細な説明は省略する。
【図面の簡単な説明】
【００３０】
【図１】第１実施形態のカメラのレンズ鏡筒繰り出し時における光軸を通る断面図である。
【図２】第１実施形態のブレ補正ＦＰＣ及びフォーカスＦＰＣの平面図である。
【図３】第１実施形態のレンズ鏡筒のフレキシブルプリント基板の接続部を示す底面図である。
【図４】第２実施形態のカメラのレンズ鏡筒繰り出し時における光軸を通る断面図である。
【図５】第２実施形態のレンズ鏡筒のＦＰＣの接続部を示す底面図及び側面図である。
【符号の説明】
【００３１】
１，２００…カメラ    １０，２１０…レンズ鏡筒    １０ａ，１０ｂ…開口孔    １１…固定筒    １２…中間筒    １８…ブレ補正ユニット    １９…フォーカスモータ    ２０…板状部材    ２１…ブレ補正ＦＰＣ    ２１ａ，２１ａ−１〜２１ａ−７，２２ａ，２２ａ−１〜２２ａ−４…パターン    ２１ｂ，２１ｂ−１〜２１ｂ−７，２２ｂ，２２ｂ−１〜２２ｂ−４，２３ｂ，２３ｂ−１〜２３ｂ−４，２２０ｂ，２２０ｂ−１〜２２０ｂ−４…半田ランド    ２２，２２０…フォーカスＦＰＣ    ２３…外部ＦＰＣ
【図１】
2009151090.tif 000003
【図２】
2009151090.tif 000004
【図３】
2009151090.tif 000005
【図４】
2009151090.tif 000006
【図５】
2009151090.tif 000007